(57)【要約】【課題】水平吹き出しを行う上下羽根が水平になった際には、上下羽根の上面とスタビライザの間隔が狭くなり、送風流量が低下し、外気を巻き込み易くなり、特に、冷房時においては、巻き込んだ暖かい外気を冷気が冷やすことにより、上下羽根に結露が生じるという問題を発生させることなく、上下風向の制御を実現した空気調和機を提供することを目的とする。【解決手段】上下羽根６の主翼６ａの断面形状を下に凸の形状とすることにより、水平吹き出し時にスタビライザ３と上下羽根６の主翼６ａの間隔が充分なものとなる。これにより、特に、冷房時において、巻き込んだ暖かい外気Ａを冷気Ｂが冷やすことにより生ずる、上下羽根６上の結露を防ぐことができる。【選択図】図２
2006242528.tif 000002
【特許請求の範囲】
【請求項１】
筐体内に熱交換器と一定の長さを有する複数のブレードを円柱状に配列した羽根車単体を回転軸方向に組み合わせてなるクロスフローファンと、このクロスフローファンに近接・対向して位置するスタビライザと、通風路を形成するリアガイダと、左右方向に風向を制御させる左右羽根と、上下方向に風向を制御させる上下羽根とを具備し、その上下羽根の主翼および、副翼が下に凸な湾曲形状を成していることを特徴とする空気調和機。
【請求項２】
前記上下羽根の主翼および副翼の断面形状が下流側先端において上に凸な湾曲形状を成していることを特徴とする請求項１に記載の空気調和機。
【発明の詳細な説明】
【技術分野】
【０００１】
本発明は住宅などの空調に用いる空気調和機の室内機に関するものである。
【背景技術】
【０００２】
従来、この種の空気調和機は断面形状が上に凸な湾曲形状を成している上下羽根によって、上下の風向を制御している（例えば、特許文献１参照）。
【０００３】
図４は、特許文献１に記載された従来の空気調和機を示すものである。図４に示すように、熱交換器１とクロスフローファンファン２と、このクロスフローファン２に近接・対向して位置するスタビライザ３と、通風路を形成するリアガイダ４と、左右方向に風向を制御させる左右羽根５と、上下方向に風向を制御させる上下羽根６が配されている。
【特許文献１】特開平９−７９６０１号公報
【発明の開示】
【発明が解決しようとする課題】
【０００４】
しかしながら、前記従来の構成では、上下羽根６の断面形状が上に凸な形状を成しているため、水平吹き出しを行う際、すなわち上下羽根６が水平になった際には、上下羽根６の上面とスタビライザ３の間の間隔が極めて狭くなり、送風流量が低下する。送風流量が低下すると、外気Ａを巻き込み易くなり、特に、冷房時においては、巻き込んだ暖かい外気Ａを冷気Ｂが冷やすことにより、上下羽根６に結露が生じるという問題を有していた。
【０００５】
本発明は、前記従来の課題を解決するもので、上下羽根上に結露を発生させることなく、上下風向の制御を実現した空気調和機を提供することを目的とする。
【課題を解決するための手段】
【０００６】
前記従来の課題を解決するために、本発明の空気調和機は、上下羽根の断面形状が下に凸な形状としたものである。
【０００７】
これによって、水平吹き出しを行う際に、上下羽根とスタビライザの間隔が広くなり、充分な送風流量を確保することが可能となる。また、上下羽根が閉じた状態では、その断面形状は内側に凸となる。これによって圧迫感が減少し、コンパクト化を図ることができ、意匠性を高めることができる。
【発明の効果】
【０００８】
本発明の空気調和機は、上下羽根上に結露を発生させることなく、上下風向の制御を実現することができる。
【発明を実施するための最良の形態】
【０００９】
第１の発明は上下羽根の主翼および、副翼の断面形状を下に凸な形状とすることにより、水平吹き出しを行う際に、上下羽根とスタビライザの間隔が広くなり、充分な送風流量を確保することが可能となる。これによって、特に、冷房時において、巻き込んだ暖かい外気を冷気が冷やすことにより生ずる、上下羽根上の結露を防ぐことができる。また、上下羽根が閉じた状態では、その断面形状は内側に凸となる。これによって圧迫感が減少し、コンパクト化を図ることができ、意匠性を高めることができる。
【００１０】
第２の発明は、特に、第１の発明の上下羽根の主翼および、副翼の下流側先端のみを上に凸な湾曲形状とすることにより、下吹き出しの際、特に、暖房時において、外部の冷気
Ｂに比べ、密度の軽い暖気Ａが上方に逃げるのを防ぎ、下吹き性を実現することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における室内機の断面略図を示すものである。
【００１３】
図１において、熱交換器１とクロスフローファンファン２と、このクロスフローファン２に近接・対向して位置するスタビライザ３と、通風路を形成するリアガイダ４と、左右方向に風向を制御させる左右羽根５と、上下方向に風向を制御させる上下羽根６が配されている。
【００１４】
また、図２は、本発明の第１の実施の形態における空気調和機の室内機のスタビライザ付近の部分拡大断面図である。
【００１５】
図２において、上下羽根６の主翼６ａおよび副翼６ｂの断面形状が下に凸な形状をなしている。
【００１６】
以上のように構成された空気調和機について、以下その動作、作用を説明する。
【００１７】
上下羽根６の上面は下に凸の形状を成しているため、水平吹き出し時にスタビライザ３と上下羽根６の主翼６ａの間隔が充分なものとなる。
【００１８】
以上のように、本実施の形態１において上下羽根６の断面形状を下に凸の形状とすることにより、水平吹き出し時にスタビライザ３と上下羽根６の主翼６ａの間隔が充分なものとなる。これにより、特に、冷房時において、外部から巻き込んだ暖気Ａを冷気Ｂが冷やすことにより生ずる、上下羽根６上の結露を防ぐことができる。また、上下羽根６が閉じた状態では、その断面形状は内側に凸となる。これによって圧迫感が減少し、コンパクト化を図ることができ、意匠性を高めることが出来る。
【００１９】
（実施の形態２）
図３は、本発明の第２の実施の形態における空気調和機の室内機のスタビライザ付近の部分拡大断面図である。
【００２０】
図３において、上下羽根６の主翼６ａ、および副翼６ｂの断面形状は下流側先端が上に凸な湾曲形状を成している。
【００２１】
以上のように構成された空気調和機について、以下その動作、作用を説明する。
【００２２】
本実施の形態２において上下羽根６の主翼６ａおよび副翼６ｂの断面形状の下流側先端が上に凸な湾曲形状を成していることにより、下吹き出しの際、特に、暖房時において、外部の冷気Ｂに比べ、密度の軽い暖気Ａが上方に逃げるのを防ぎ、下吹き性を実現することができる。
【産業上の利用可能性】
【００２３】
以上のように、本発明にかかる空気調和機の室内機は、結露無く、風向制御を可能とするものであり、空気調和機のみならず、クロスフローファンを用いるあらゆる用途に適用できる。
【図面の簡単な説明】
【００２４】
【図１】本発明の実施の形態１における空気調和機の室内機の略断面図
【図２】本発明の実施の形態１における空気調和機の室内機のスタビライザ付近の部分拡大断面図
【図３】本発明の実施の形態２における空気調和機の室内機のスタビライザ付近の部分拡大断面図
【図４】従来の空気調和機室内機の略断面図
【符号の説明】
【００２５】
１  熱交換器
２  クロスフローファン
３  スタビライザ
４  リアガイダ
５  左右羽根
６  上下羽根
６ａ  主翼
６ｂ  副翼
Ａ  暖気
Ｂ  冷気
【図１】
2006242528.tif 000003
【図２】
2006242528.tif 000004
【図３】
2006242528.tif 000005
【図４】
2006242528.tif 000006